(57)【要約】【課題】  撮影条件の容易なマニュアル設定を可能にするのみならず、学習を伴いつつマニュアル設定を行うことができるようにする。【解決手段】  ＥＶ値表グラフをモニターに表示し、ユーザの操作により、ＥＶ値表グラフ上で移動したカーソルの位置に応じて、シャッター速度と絞り値とをカーソルと同一色に変更する（ステップＳ１７）。また、カーソル２０２の現在位置に対応する露出値と適正露出帯２０４の露出値との関係に応じて、カーソル２０２の色及びシャッター速度と絞り値との両値２０３の色を変更する（ステップＳ１８）。シャッターキーが操作された場合には（ステップＳ２４；ＹＥＳ）、ＥＶ値表グラフ上における現在のカーソルの位置に対応するシャッター速度と絞り値で（ステップＳ２５）、撮影処理を実行する（ステップＳ２６）。【選択図】    図３
2006178015.tif 000002
【特許請求の範囲】
【請求項１】
表示手段と、
操作手段と、
前記表示手段にＥＶ値表をグラフ表示させ、このグラフ表示されたＥＶ値表上にカーソルを表示させるとともに、前記操作手段の操作に応じて前記カーソルを移動させる表示制御手段と、
前記グラフ表示されたＥＶ値表上におけるカーソルの位置に基づき、撮影時におけるシャッター速度と絞り値とを決定する決定手段と
を備えることを特徴とするカメラ装置。
【請求項２】
前記表示制御手段は、前記グラフ表示されたＥＶ値表上に、当該カメラ装置において調整不能な領域を更に表示させることを特徴とする請求項１記載のカメラ装置。
【請求項３】
前記表示制御手段は、前記グラフ表示されたＥＶ値表上において前記調整不能な領域への前記カーソルの移動を禁止することを特徴とする請求項２記載のカメラ装置。
【請求項４】
前記表示制御手段は、更に前記カーソルの近傍に該カーソルの位置に対応するシャッター速度と絞り値とを表示させることを特徴とする請求項１、２又は３記載のカメラ装置。
【請求項５】
前記表示制御手段は、前記グラフ表示されたＥＶ値表において、前記カーソルの位置に対応するＥＶ値の表示形態を他のＥＶ値とは異なる表示形態で表示させることを特徴とする請求項１から４にいずれか記載のカメラ装置。
【請求項６】
前記表示制御手段は、前記グラフ表示されたＥＶ値表において、前記カーソルと該カーソルの位置に対応するＥＶ値とを関連した表示形態で表示させることを特徴とする請求項１から５にいずれか記載のカメラ装置。
【請求項７】
前記関連した表示形態とは、同一色であることを特徴とする請求項６記載のカメラ装置。
【請求項８】
前記撮影時における適正露出を取得する取得手段を更に備えることを特徴とする請求項１から７にいずれか記載のカメラ装置。
【請求項９】
前記表示制御手段は、更に、前記取得手段により取得された適正露出を示す位置を前記グラフ表示されたＥＶ値表上に表示させることを特徴とする請求項８記載のカメラ装置。
【請求項１０】
露出に関連する感度を可変的に設定する可変設定手段を更に備え、
前記表示制御手段は、前記可変設定手段により設定された感度に従って、前記適正露出を示す位置又は前記ＥＶ値表を変更することを特徴とする請求項９記載のカメラ装置。
【請求項１１】
前記表示制御手段は、前記グラフ表示されたＥＶ値表上に、当該カメラ装置において調整可能な領域を更に表示させ、前記グラフ表示されたＥＶ値表上に表示された適正露出を示す位置が前記調整可能な領域外である場合、これを意味する表示を行うことを特徴とする請求項９又は１０記載のカメラ装置。
【請求項１２】
前記適正露出を設定するための設定操作手段を更に備え、
前記表示制御手段は、前記設定操作手段の操作に応じ、前記グラフ表示されたＥＶ値表上において前記適正露出を示す位置に、前記カーソルを移動させることを特徴とする請求項８から１１にいずれ記載の記載のカメラ装置。
【請求項１３】
前記表示制御手段は、更に前記取得手段により取得された適正露出と前記カーソルの位置により示される値との関係に応じて、前記表示手段に表示されているいずれかの表示要素の表示形態を変化させることを特徴とする請求項８から１２にいずれ記載のカメラ装置。
【請求項１４】
前記表示制御手段は、前記カーソルの表示形態を変化させることを特徴とする請求項１３記載のカメラ装置。
【請求項１５】
前記表示制御手段は、前記カーソルの近傍に該カーソルの位置に対応するシャッター速度と絞り値と表示し、これらシャッター速度と絞り値の表示形態を変化させることを特徴とする請求項１２又は１３記載のカメラ装置。
【請求項１６】
被写体を撮像して画像データを出力する撮像手段を備え、
前記表示制御手段は、前記グラフ表示されたＥＶ値表とともに、前記画像データに基づくスルー画像を前記表示手段に表示させることを特徴とする請求項１記載のカメラ装置。
【請求項１７】
前記表示制御手段は、前記スルー画像上に前記グラフ表示されたＥＶ値表を表示させることを特徴とする請求項１６記載のカメラ装置。
【請求項１８】
前記表示制御手段は、前記カーソルの位置によって得られるＥＶ値に基づき、前記スルー画像を調整して、前記表示手段に表示させることを特徴とする請求項１６又は１７記載のカメラ装置。
【請求項１９】
表示手段と操作手段とを備えるカメラ装置が有するコンピュータを、
前記表示手段にＥＶ値表をグラフ表示させ、このグラフ表示されたＥＶ値表上にカーソルを表示させるとともに、前記操作手段の操作に応じて前記カーソルを移動させる表示制御手段と、
前記グラフ表示されたＥＶ値表上におけるカーソルの位置に基づき、撮影時におけるシャッター速度と絞り値とを決定する決定手段と
して機能させることを特徴とする表示設定制御プログラム。
【請求項２０】
表示手段と操作手段とを備えるカメラ装置における表示設定制御方法であって、
前記表示手段にＥＶ値表をグラフ表示させ、このグラフ表示されたＥＶ値表上にカーソルを表示させるとともに、前記操作手段の操作に応じて前記カーソルを移動させる表示制御ステップと、
前記グラフ表示されたＥＶ値表上におけるカーソルの位置に基づき、撮影時におけるシャッター速度と絞り値とを決定する決定ステップと
を含むことを特徴とする表示設定制御方法。
【発明の詳細な説明】
【技術分野】
【０００１】
本発明は、シャッター速度と絞り値とをマニュアル設定して撮影を行うカメラ装置、及びこれに用いられる表示設定制御プログラム並びに表示設定制御方法に関する。
【背景技術】
【０００２】
従来より、シャッター速度や絞り値等の撮影条件をマニュアル設定可能なカメラ装置が知られている。このカメラ装置は、シャッター速度を設定する場合、所定のキー操作に応じてメニュー画面を表示する。そして、このメニュー画面から選択項目のシャッター速度を選択し、これにより表示される速度の選択肢、例えば１／１５〜１／１０００から速度を選択すると、シャッター速度が確定する。また、絞り値に関しても同様に、メニュー画面から選択項目の絞り値を選択し、これにより表示される値の選択肢、例えばＦ２．０〜Ｆ１１から値を選択すると、絞り値が確定する。そして、これら確定したシャッター速度と絞り値とが撮影条件として設定され、撮影に際してはこれらシャッター速度及び絞り値で撮影が実行される（例えば、特許文献１参照。）。
【特許文献１】特開平１１−３３１６６５号公報
【発明の開示】
【発明が解決しようとする課題】
【０００３】
しかしながら、このように従来のマニュアル設定可能なカメラ装置においては、シャッター速度と絞り値とを設定するに際し、メニュー画面からの複数回に及ぶ選択操作が必要となる。よって、撮影条件を変更する際のマニュアル操作が煩雑となってしまう。
【０００４】
また、一般的にカメラ上級者は、経験的に撮影環境におけるＥＶ値や、ＥＶ値とシャッター速度及び絞り値との関係を会得しており、この明るさであれば、ＥＶ値はどの程度であり、よってシャッター速度と絞り値はいずれの値であるか即断することができる。しかし、初心者の場合、その多くはＥＶ値の存在すら知らず、よって適正なシャッター速度と絞り値を設定することは困難である。
【０００５】
無論、このような初級者であっても、多くのマニュアル撮影を経験したり、学習機会を得て学習により撮影知識を得ることにより、ＥＶ値の存在を認識したり、ＥＶ値とシャッター速度及び絞り値との関係を把握し、やがては適正なシャッター速度と絞り値とを設定可能な上級者ともなり得る。しかしながら、アマチュアカメラマンにおいて多くのマニュアル撮影を経験するためには長期間を要し、また、学習の機会を得ることも希である。よって、殆どのアマチュアカメラマンは上級者とはなり得ず、初級者に甘んじざるを得ないのが実情であった。
【０００６】
本発明は、かかる従来の課題に鑑みてなされたものであり、撮影条件の容易なマニュアル設定を可能にするのみならず、学習を伴いつつマニュアル設定を行うことのできるカメラ装置、表示設定制御プログラム及び表示設定制御方法を提供することを目的とするものである。
【課題を解決するための手段】
【０００７】
前記課題を解決するために請求項１記載の発明に係るカメラ装置にあっては、表示手段と、操作手段と、前記表示手段にＥＶ値表をグラフ表示させ、このグラフ表示されたＥＶ値表上にカーソルを表示させるとともに、前記操作手段の操作に応じて前記カーソルを移動させる表示制御手段と、前記グラフ表示されたＥＶ値表上におけるカーソルの位置に基づき、撮影時におけるシャッター速度と絞り値とを決定する決定手段とを備える。
【０００８】
したがって、ユーザは操作手段を操作して、カーソルを移動させる簡単な操作により、撮影時におけるシャッター速度と絞り値とを同時に決定することができ、よって、これらの撮影条件を容易にマニュアル設定することが可能となる。また、表示手段にはＥＶ値表が表示されることから、この表示されるＥＶ値表により、ＥＶ値とシャッター速度及び絞り値との関係を学習することができる。
【０００９】
また、請求項２記載の発明に係るカメラ装置にあっては、前記表示制御手段は、前記グラフ表示されたＥＶ値表上に、当該カメラ装置において調整不能な領域を更に表示させる。したがって、ユーザは当該カメラ装置における能力の限界を認識できるのみならず、ＥＶ値表とカメラ装置の能力との関係を学習することができる。
【００１０】
また、請求項３記載の発明に係るカメラ装置にあっては、前記表示制御手段は、前記グラフ表示されたＥＶ値表上において前記調整不能な領域への前記カーソルの移動を禁止する。したがって、ユーザが当該カメラ装置が有する能力以上の撮影条件を設定する不都合を未然に防止することができる。
【００１１】
また、請求項４記載の発明に係るカメラ装置にあっては、前記表示制御手段は、更に前記カーソルの近傍に該カーソルの位置に対応するシャッター速度と絞り値とを表示させる。したがって、グラフ表示されたＥＶ値表を視認することなく、カーソルの近傍に表示された数値を視認するのみのにより、現在のカーソルの位置に対応するシャッター速度と絞り値とを認識することができる。
【００１２】
また、請求項５記載の発明に係るカメラ装置にあっては、前記表示制御手段は、前記グラフ表示されたＥＶ値表において、前記カーソルの位置に対応するＥＶ値の表示形態を他のＥＶ値とは異なる表示形態で表示させる。つまり、シャッター速度と絞り値とは、ＥＶ値表において水平方向及び垂直方向に延在する線上の値であるから、ユーザにおいて、現在のカーソル位置からシャッター速度と絞り値とを目視により読み取ることは容易である。しかし、ＥＶ値は、ＥＶ値表においてシャッター速度と絞り値との交点を結ぶ斜状の線上の値であるから、ユーザにおいて、現在のカーソル位置からＥＶ値を目視により読み取ることは困難である。しかし、カーソルの位置に対応するＥＶ値の表示形態を他のＥＶ値とは異なる表示形態で表示させれば、現在のカーソル位置からＥＶ値を目視により読み取ることが容易となる。
【００１３】
また、請求項６記載の発明に係るカメラ装置にあっては、前記表示制御手段は、前記グラフ表示されたＥＶ値表において、前記カーソルと該カーソルの位置に対応するＥＶ値とを関連した表示形態で表示させる。つまり、前述のように、ＥＶ値は、ＥＶ値表においてシャッター速度と絞り値との交点を結ぶ斜状の線上の値であるから、ユーザにおいて、現在のカーソル位置からＥＶ値を目視により読み取ることは困難である。しかし、カーソルと該カーソルの位置に対応するＥＶ値とを関連した表示形態で表示させれば、現在のカーソル位置からＥＶ値を目視により読み取ることが容易となる。
また、請求項７記載の発明に係るカメラ装置にあっては、前記関連した表示形態とは、同一色である。よって、カーソルと該カーソルの位置に対応するＥＶ値とが同一色で表示されることにより、現在のカーソル位置からＥＶ値を目視により読み取ることが極めて容易となる。
【００１４】
また、請求項８記載の発明に係るカメラ装置にあっては、前記撮影時における適正露出を取得する取得手段を更に備える。したがって、このカメラ装置は、マニュアル設定されたシャッター速度と絞り値とでマニュアル撮影が可能となるみらず、取得手段により取得された適正露出に基づき、適正シャッター速度と絞り値とを自動設定してオート撮影することも可能となる。
【００１５】
また、請求項９記載の発明に係るカメラ装置にあっては、前記表示制御手段は、更に、前記取得手段により取得された適正露出を示す位置を前記グラフ表示されたＥＶ値表上に表示させる。したがって、ユーザは現在の撮影環境における適正露出を把握しつつ、ＥＶ値とシャッター速度及び絞り値との関係を学習することができる。
【００１６】
また、請求項１０記載の発明に係るカメラ装置にあっては、露出に関連する感度を可変的に設定する可変設定手段を更に備え、前記表示制御手段は、前記可変設定手段により設定された感度に従って、前記適正露出を示す位置又は前記ＥＶ値表を変更する。したがって、露出に関連する感度を変更した場合であっても、当該感度に応じた適正露出及びＥＶ値表を表示させることができる。
【００１７】
また、請求項１１記載の発明に係るカメラ装置にあっては、前記表示制御手段は、前記グラフ表示されたＥＶ値表上に、当該カメラ装置において調整可能な領域を更に表示させ、前記グラフ表示されたＥＶ値表上に表示された適正露出を示す位置が前記調整可能な領域外である場合、これを意味する表示を行う。したがって、ユーザは、この表示により、感度アップさせる等の対応を行うべきことを学習することができる。
【００１８】
また、請求項１２記載の発明に係るカメラ装置にあっては、前記適正露出を設定するための設定操作手段を更に備え、前記表示制御手段は、前記設定操作手段の操作に応じ、前記グラフ表示されたＥＶ値表上において前記適正露出を示す位置に、前記カーソルを移動させる。したがって、前記操作手段によりカーソルを移動させつつ、シャッター速度と絞り値とをマニュアル設定していたユーザが、設定操作手段を操作すればカーソルはＥＶ値表上において適正露出を示す位置に移動し、適正露出に対応する撮影時におけるシャッター速度と絞り値とが設定される。これにより、自動的に設定された適正露出に対応する撮影時における適正シャッター速度と適正絞り値とで撮影を行うことが可能となる。また、ユーザは、カーソルが移動した際の経路を視認して、適正シャッター速度と適正絞り値とが設定される過程を視認することにより、適正シャッター速度と適正絞り値とを設定するための効果的な学習を行うことができる。
【００１９】
また、請求項１３記載の発明に係るカメラ装置にあっては、前記表示制御手段は、更に前記取得手段により取得された適正露出と前記カーソルの位置により示される値との関係に応じて、前記表示手段に表示されているいずれかの表示要素の表示形態を変化させる。したがって、ユーザの操作により変化するカーソルの位置により示されるＥＶ値やシャッター速度あるいは絞り値と、適正露出に対応するＥＶ値やシャッター速度あるいは絞り値との関係において、表示要素が変化することにより、カーソルの位置に対応する前記各現在値が適正露出に対応する各値との関係において、どの程度の値であるかを明瞭に認識することができる。
【００２０】
また、請求項１４記載の発明に係るカメラ装置にあっては、前記表示制御手段は、前記カーソルの表示形態を変化させる。よって、ユーザの操作により変化するカーソルの位置により示されるＥＶ値やシャッター速度あるいは絞り値が、適正露出に対応するＥＶ値やシャッター速度あるいは絞り値との関係においてどの程度であるかを、カーソルの表示形態により一見して理解することができる。
【００２１】
また、請求項１５記載の発明に係るカメラ装置にあっては、前記表示制御手段は、前記カーソルの近傍に該カーソルの位置により決定されるシャッター速度と絞り値と表示し、これらシャッター速度と絞り値の表示形態を変化させる。したがって、ＥＶ値表全体を視認せずとも、カーソルの近傍に表示されるシャッター速度と絞り値とを視認することにより、カーソルの位置が示すシャッター速度と絞り値とを認識することができるとともに、カーソルの位置により示されるシャッター速度と絞り値が、適正露出に対応するシャッター速度と絞り値との関係においてどの程度であるかを、一見して理解することができる。  また、請求項１６記載の発明に係るカメラ装置にあっては、被写体を撮像して画像データを出力する撮像手段を備え、前記表示制御手段は、前記グラフ表示されたＥＶ値表とともに、前記画像データに基づくスルー画像を前記表示手段に表示させる。したがって、ユーザは撮影時において必須の動作であるスルー画像を見ながら、カーソルを移動させてシャッター速度と絞り値とをマニュアル設定することができ、撮影動作を同時進行的にマニュアル設定を行うことができる。
【００２２】
また、請求項１７記載の発明に係るカメラ装置にあっては、前記表示制御手段は、前記スルー画像を前記グラフ表示されたＥＶ値表上に表示させる。したがって、ユーザは視線移動を伴うことなく、撮影時において必須の動作であるスルー画像を見ながら、カーソルを移動させてシャッター速度と絞り値とをマニュアル設定することができる。
【００２３】
また、請求項１８記載の発明に係るカメラ装置にあっては、前記表示制御手段は、前記カーソルの位置によって得られるＥＶ値に基づき、前記スルー画像を調整して、前記表示手段に表示させる。したがって、カーソルの移動に伴って絞り値が変化すれば、これに伴ってスルー画像の明るさが変化し、絞り値と画像の明るさとの関係を視覚的に学習することができる。
【００２４】
また、請求項１９記載の発明に係る表示設定制御プログラムにあっては、表示手段と操作手段とを備えるカメラ装置が有するコンピュータを、前記表示手段にＥＶ値表をグラフ表示させ、このグラフ表示されたＥＶ値表上にカーソルを表示させるとともに、前記操作手段の操作に応じて前記カーソルを移動させる表示制御手段と、前記グラフ表示されたＥＶ値表上におけるカーソルの位置に基づき、撮影時におけるシャッター速度と絞り値とを決定する決定手段として機能させる。したがって、前記コンピュータがこのプログラムに従って処理を実行することにより、請求項１にかかる発明と同様の作用効果を奏する。
【００２５】
また、請求項２０記載の発明は、表示手段と操作手段とを備えるカメラ装置における表示設定制御方法であって、前記表示手段にＥＶ値表をグラフ表示させ、このグラフ表示されたＥＶ値表上にカーソルを表示させるとともに、前記操作手段の操作に応じて前記カーソルを移動させる表示制御ステップと、前記グラフ表示されたＥＶ値表上におけるカーソルの位置に基づき、撮影時におけるシャッター速度と絞り値とを決定する決定ステップとを含む。したがって、記載したステップに従って処理を実行することにより、請求項１記載の発明と同様の作用効果を奏する。
【発明の効果】
【００２６】
以上説明したように本発明によれば、ユーザは操作手段を操作して、カーソルを移動させる簡単な操作により、撮影時におけるシャッター速度と絞り値とを同時に決定することができ、よって、これらの撮影条件を容易にマニュアル設定することが可能となる。また、表示手段にはＥＶ値表が表示されることから、この表示されるＥＶ値表により、ＥＶ値とシャッター速度及び絞り値との関係を学習することができる。よって、当該カメラ装置を使用することのみにより、学習機会が得られるとともに、学習を伴いつつシャッター速度と絞り値とをマニュアル設定することにより、初級者であってあっても、長期間を要することなく急速に上級者と同様のマニュアル設定技量となることが可能となる。
【発明を実施するための最良の形態】
【００２７】
以下、本発明の一実施の形態を図に従って説明する。図１は、本実施の形態に係るデジタルカメラ１の電気的概略構成を示すブロック構成図である。このデジタルカメラ１は、ＣＣＤ３により撮像した画像をＪＰＥＧ形式に変換する等の画像処理機能を備えたＭＰＵ４を中心に構成されている。ＣＣＤ３の受光面には、ズームレンズ２、フォーカスレンズ５、絞り６を通過して被写体の光学像が結像される。
【００２８】
ズームレンズ２は、複数枚のレンズを有し焦点距離の可変、及び光学特性の補正が可能なレンズ群であって、ズーミングモータ等からなる駆動機構７に保持されている。そして、ズームキーの操作等に応じてＭＰＵ４が制御信号をズームドライバー８に出力し、ズームドライバー８が駆動信号を駆動機構７に供給することにより、ズームレンズ２がズーム駆動される。フォーカスレンズ５はＡＦモータ等からなる駆動機構９に保持されており、ＭＰＵ４からの制御信号によりＡＦドライバー１０が出力する駆動信号が駆動機構９に供給されることにより、光軸上を前後に移動する合焦動作を行う。絞り６は、ＭＰＵ４からの制御信号に基づき絞り駆動部１１が発生する駆動信号により駆動し、ＣＣＤ３に入射する被写体像の光量を調整する。
【００２９】
また、ＭＰＵ４には、タイミング信号を発生するＴＧ（Timing Generator ）１２が接続されており、ＴＧ１２が発生したタイミング信号に基づきＶドライバー１３（垂直方向ドライバー）がＣＣＤ３を駆動し、それに伴いＣＣＤ３により被写体像の輝度に応じたアナログの撮像信号が出力されユニット回路１４へ送られる。ユニット回路１４は、ＣＣＤ３から出力された撮像信号を保持するＣＤＳと、ＣＤＳから撮像信号を供給されるアナログアンプであるゲイン調整アンプ（ＡＧＣ）と、ゲイン調整アンプにより増幅され調整された撮像信号を画像データに変換するＡ／Ｄ変換器（ＡＤ）とからなり、ＣＣＤ３の出力信号は、ここで黒レベルを合わせてサンプリングされデジタル信号としてＭＰＵ４に送られる。送られたデジタル信号（撮像信号）はＤＲＡＭ１５に一時保存されるとともに、ＭＰＵ４によって、画質モード（高画質モード、低画質モード）等に応じた各種の画像処理（ＪＰＥＧ圧縮処理を含む）が施された後、最終的には着脱自在なフラッシュメモリ（ＦＬＡＳＨ）１６に保存される。保存された映像信号は、必要に応じてＭＰＵ４に読み出され、伸長処理、輝度信号及び色信号の付加等の処理を経てデジタルビデオ信号やアナログビデオ信号に変換される。
【００３０】
さらに、ＭＰＵ４にはＭＲＯＭ１７と、電池を有する電源回路１８、操作キー部１９、ＴＦＴ液晶モニター２０が接続されている。操作キー部１９は、ズームキーやシャッターキー、モード設定キー、後述するカーソルをＴＦＴ液晶モニター２０上において任意の位置に移動させるためのカーソルキー、「ＨＥＬＰ」キー等の各種キーやスイッチを有している。ＭＲＯＭ１７は、後述するフローチャートに示すＭＰＵ４の動作プログラム等が記録されたプログラムＲＯＭである。また、ＭＲＯＭ１７には撮影時の適正な露出値（ＥＶ）に対応する絞り値（Ｆ）とシャッター速度との組み合わせを示すプログラム線図を構成するプログラムＡＥデータや、ＥＶ値表も格納されている。
【００３１】
ＭＰＵ４は、内蔵するＲＡＭをワーキングメモリとして前記動作プログラムに従い動作することにより本発明における表示制御手段、設定手段、可変設定手段、取得手段等として機能する。また、前記プログラム線図に従って、あるいはマニュアル設定されるシャッター速度及び絞り値に従って、前記ＣＣＤ３の電荷蓄積時間や前記絞り６の開放度、前記ユニット回路１４のゲイン調整アンプ（ＡＧＣ）のゲイン設定等を行う。ＭＰＵ４が設定した電荷蓄積時間はシャッターパルスとして、ＴＧ１２を介してＶドライバー１３に供給され、これに従いＶドライバー１３がＣＣＤ３を駆動することにより電荷蓄積時間すなわち露光時間が制御される。つまりＣＣＤ３は電子シャッターとして機能する。また、ＭＲＯＭ１７に格納された動作プログラムには、オートフォーカス制御に関するプログラムが含まれており、かかるプログラムに基づきＭＰＵ４は、前記フォーカスレンズ５を駆動させピント合わせ（オートフォーカス）を行う。
【００３２】
表示手段としてのＴＦＴ液晶モニター２０は、撮影モードにおいては逐次撮像された画像をスルー画像として表示するとともに、後述するマニュアル撮影モードにおいては、ＥＶ値表グラフとカーソルとを表示する。また、再生モードにおいては前記フラッシュメモリ１６に記録された画像データから生成されたアナログビデオ信号に基づく映像を表示する。
【００３３】
なお、前述したＭＲＯＭ１７に記憶されているプログラムデータ等は、その記録内容の保持が可能であれば、別途固定的に設けたもの、若しくは脱着自在に装着可能なＩＣカード等の、他の記録媒体に記録される構成にしてもよく、さらに、前記プログラムデータ等をパソコン等の他の機器から供給可能な構成としてもよい。
【００３４】
次に、以上の構成からなるデジタルカメラ１の動作について説明する。電源スイッチが操作されて電源がオンとなっており、かつ、モード設定キーの操作によりマニュアル撮影モードが設定されている状態において、ＭＰＵ４は、ＭＲＯＭ１７に格納されているプログラムに基づき、図２及び図３に示す一連のフローチャートに従って処理を実行する。すなわち、前記ＥＶ値表に基づき、ＴＦＴ液晶モニター２０にＩＳＯ＝１００のＥＶ値表をグラフ表示し（ステップＳ１）、このステップＳ１での処理により、図４（Ａ）に示すように、ＴＦＴ液晶モニター２０には、ＥＶ値表グラフ２０１が表示される。さらに、このＥＶ値表グラフ２０１上において、前回のマニュアル撮影モード終了時（電源オフ時も含む）に設定されていた位置にカーソルを所定の色で表示し（ステップＳ２）、このステップＳ２での処理により、同図に示すように、ＴＦＴ液晶モニター２０には、カーソル２０２が所定の色で表示される。なお、このときカーソル２０２は、図示のようにＥＶ値表グラフ２０１上においてシャッター速度、絞り値及びＥＶ値の交点上に表示させる。
【００３５】
また、この表示したカーソル２０２の位置に対応するＥＶ値を他のＥＶ値とは異なる表示色であってカーソル２０２と同一色に変更する（ステップＳ３）。したがって、図示の例では、カーソル２０２の位置に対応するＥＶ値は、「１１」であることから、矢印Ｐで示すように、「１１」が他のＥＶ値と異なる色であってカーソル２０２と同一色に変更して表示される。
【００３６】
また、カーソル２０２の近傍に、カーソル２０２の位置により示されるシャッター速度と絞り値とをカーソル２０２と同一色で表示する（ステップＳ４）。したがって、図示の例では、カーソル２０２が示すシャッター速度は１／６０、絞り値はＦ５．６であることから、これら両値２０３がカーソル２０２の近傍に該カーソル２０２と同一色で表示されることとなる。さらに、カーソル２０２の現在位置に対応するＥＶ値に応じて画像調整しつつ、ＣＣＤ３より逐次取り込まれた画像データに基づきスルー画像を前記ＥＶ値表グラフ２０１上に表示する（ステップＳ５）。なお、このスルー画像については図示を省略する。
【００３７】
また、ＭＰＵ４は、ユニット回路１４を介して得られるスルー画像の画像データと、前記プログラム線図とに基づき現在の適正ＥＶ値を取得する（ステップＳ６）。そして、この取得した適正ＥＶ値と現時点のＩＳＯ感度とに基づき、適正露出帯を表示する（ステップＳ７）。つまり、取得した適正ＥＶ値が例えば「７」であったとすると、図４（Ａ）に示したように、ＥＶ値表グラフ２０１においてＥＶ値＝７である領域を示す帯状の適正露出帯２０４が表示される。なお、このステップＳ７の処理は、ステップＳ５からの処理が繰り返される都度、ステップＳ６の処理と共に実行される。よってこのステップＳ７の処理により、前記ユニット回路１４を介して得られるスルー画像の画像データとプログラム線図とに基づく現在の適正ＥＶ値、つまり撮影環境の明るさに応じた現在の適正ＥＶ値に基づき、適正露出帯２０４の位置が表示変更されることとなる。
【００３８】
また、ＥＶ値表グラフ２０１において、当該デジタルカメラ１でマニュアル設定可能なシャッター速度と絞り値とを含む領域である調整可能範囲を表示する（ステップＳ８）。したがって、当該デジタルカメラ１においては、シャッター速度１／８〜１／１０００、絞り値Ｆ２．８〜Ｆ８．０が調整可能な範囲であれば、図示のようにこれらの値を含む領域が調整可能範囲２０５として表示されることとなる。
【００３９】
引き続き、適正露出帯２０４と調整可能範囲２０５とが重なるか否かを判断する（ステップＳ９）。ここで、適正露出帯２０４と調整可能範囲２０５とが重なれば、適正露出帯２０４内にカーソル２０２を移動させて、適正なシャッター速度と絞り値をマニュアル設定することが可能である。よって、この場合にはステップＳ１０の処理を行うことなく、ステップＳ１１に進む。
【００４０】
しかし、適正露出帯２０４と調整可能範囲２０５とが重ならない場合は、現状の明るさやＩＳＯ感度では、適正なシャッター速度と絞り値をマニュアル設定することはできないことを意味する。また、後述するように調整可能範囲２０５外へのカーソル２０２移動は禁止されることから、適正露出帯２０４へのカーソル２０２の移動も制限されることとなる。そこで、この場合にはブリンク表示を行う（ステップＳ１０）。このステップＳ１０の処理に際しては、図４（Ｂ）に示すように、現在設定されている「ＩＳＯ１００」上に、ＩＳＯの値を増加させるべきことを意味する「△」を表示し、これら「ＩＳＯ１００」と「△」とを点滅させるブリンク表示２０６を実行する。これにより、ユーザはＩＳＯを２００にすべきことを促される。また、図４（Ｂ）に示すように、このとき前述のステップＳ１０での処理と同様に、適正露出帯２０４をシフトして、ＩＳＯ＝５０とした場合の適正露出帯２０４を表示するようにしてもよい
【００４１】
次に、操作キー部１９での操作によりＩＳＯ感度の値が変更されたか否かを判断し（ステップＳ１１）、変更されたならば、適正露出帯をシフトする（ステップＳ１２）。つまり、前述したステップＳ１でイニシャル値のＩＳＯ＝１００が、例えばＩＳＯ＝５０に変更された場合で、且つこの間に取得される適正ＥＶ値に変化がなかった場合には図４（Ｃ）に示すように、適正露出帯２０４をＩＳＯ＝５０における適正露出にシフトする。なお、本実施の形態においては、適正露出帯２０４をシフトするようにしたが、これとは逆に適正露出帯２０４はシフトすることなく、ＥＶ値表グラフ２０１をシフトするようにしてもよい。
【００４２】
引き続き、操作キー部１９でカーソル移動操作がなされたか否かを判断し（ステップＳＳ１３）、操作されたならば操作に応じてＥＶ値表グラフ２０１上のカーソル２０２を移動する（ステップＳ１４）。さらに、この移動したカーソル２０２の移動先が前記調整可能範囲２０５内であるか否かを判断する（図３ステップＳ１５）。カーソル２０２の移動先が調整可能範囲２０５外であるならば（ステップＳ１５；ＮＯ）、カーソル２０２の移動を制限して、調整可能範囲２０５外への移動を禁止し（ステップＳ１６）、ステップＳ２０に進む。
【００４３】
他方、ステップＳ１５での判断の結果、カーソル２０２の移動先が調整可能範囲２０５内であるならば、移動先となった位置にカーソル２０２を表示するとともに、カーソル２０２の位置（シャッター速度、絞り値及びＥＶ値の交点）に応じて、シャッター速度と絞り値との両値２０３をカーソル２０２と同一色に変更する（ステップＳ１７）。また、カーソル２０２の現在位置に対応する露出値と適正露出帯２０４の露出値との関係に応じて、カーソル２０２の色及びシャッター速度と絞り値との両値２０３の色を変更する（ステップＳ１８）。
【００４４】
つまり、図５に例示したように、カーソル２０２が適正露出帯２０４から大きく外れている場合（Ａ）、適正露出帯２０４に近づいた場合（Ｂ）、適正露出帯２０４内に位置した場合（Ｃ）とで、カーソル２０２の色及びシャッター速度と絞り値との両値２０３の色を変化させ、また、図示しない場合においても、カーソル２０２の現在位置に対応する露出値と適正露出帯２０４の露出値との関係に応じて、カーソル２０２の色及びシャッター速度と絞り値との両値２０３の色を変更する。さらに、前述したステップＳ３での処理と同様に、ＥＶ値表グラフ２０１において、カーソル２０２の位置に対応するＥＶ値を他のＥＶ値とは異なる表示色であってカーソル２０２と同一色に変更する（ステップＳ１９）。
【００４５】
次に、操作キー部１９に設けられている「ＨＥＬＰ」キーが操作されたか否かを判断し（ステップＳ２０）、操作されない場合には、ステップＳ２１〜Ｓ２３の処理を実行することなく、ステップＳ２４に進む。そして、このステップＳ２４でシャッターキーが操作されたか否かを判断し、操作されない場合にはステップＳ５からの処理を繰り返す。
【００４６】
したがって、シャッターキーが操作されるまで、ステップＳ５からステップＳ２０までの処理が繰り返し実行され、これにより、ユーザは操作によりカーソル２０２の位置を自在に変更することができるとともに、変更されるカーソル２０２の位置に応じて、カーソル２０２の色、前記両値２０３及びその色、カーソル２０２の位置に対応するＥＶ値の色が変化することとなる。また、カーソル２０２の移動に伴って絞り値が変化すれば、ステップＳ５での処理により、これに伴ってスルー画像の明るさが変化することから、ユーザは絞り値と画像の明るさとの関係を視覚的に学習することができる。
【００４７】
そして、カーソル２０２の操作によりシャッター速度と絞り値とをマニュアル設定しようとしていたユーザが、自己の操作によるマニュアル設定を放棄して「ＨＥＬＰ」キーを操作すると、ステップＳ２０の判断がＹＥＳとなる。したがって、ステップＳ２０からステップＳ２１に進んで、自動調整開始画面を表示させる。このステップＳ２１での処理により、図６（Ａ）に示すように、ＴＦＴ液晶モニター２０にはその中央部に「自動調整プログラム」なる表示がなされた自動調整開始画面が表示される。
【００４８】
次に、現在位置のカーソル２０２を適正露出帯２０４内である、前記プログラム線図に基づく適正シャッター速度と適正絞り値の交点に移動させるとともに、この現在値から適正値の交点に移動させた際の軌跡を表示させる（ステップＳ２２）。したがって、このステップＳ２２での処理により、カーソル２０２が図６（Ａ）の現在位置から同図（Ｂ）の適正シャッター速度と適正絞り値の交点（適正露出帯２０４内）に移動するとともに、同図（Ｂ）に示すように、移動軌跡２０７が表示されることとなる。しかる後に、自動調整終了画面を表示させ（ステップＳ２３）、このステップＳ２３での処理により、図６（Ｃ）に示すように、ＴＦＴ液晶モニター２０にはその中央部に「適正露出に調整されました」なる表示がなされた自動調整終了画面が表示される。
【００４９】
そして、このステップＳ２３又は前記ステップＳ２０の判断がＮＯであった場合に続くステップＳ２４では、操作キー部１９に設けられているシャッターキーが操作されたか否かを判断し、操作された場合には、ＥＶ値表グラフ２０１上における現在のカーソル２０２の位置に対応するシャッター速度と絞り値とを決定して（ステップＳ２５）、この決定したシャッター速度と絞り値とで撮影処理を実行する（ステップＳ２６）。
【００５０】
すなわち、絞り６を前記現在のカーソル２０２の位置が示す絞り値に駆動し、かつ前記現在のカーソル２０２の位置が示すシャッター速度に応じた電荷蓄積時間をシャッターパルスとして、ＴＧ１２を介してＶドライバー１３に供給し、これに従いＶドライバー１３がＣＣＤ３を駆動することにより電荷蓄積時間を制御する。これにより、ＤＲＡＭ１５に一時保存された被写体の画像データに各種の画像処理（ＪＰＥＧ圧縮処理を含む）を施した後、フラッシュメモリ１６に記録する。
【００５１】
したがって、フラッシュメモリ１６には、ユーザがカーソル２０２を移動操作してシャッターキーを操作した場合には、カーソル２０２の移動操作によりマニュアル設定されたシャッター速度と絞り値とにより撮影された被写体の画像データが記録され、ユーザがカーソル２０２の移動操作によるマニュアル設定を放棄し「ＨＥＬＰ」キーを操作した後、シャッターキーを操作した場合には、前記プログラム線図に基づいてオート設定されたシャッター速度と絞り値とにより撮影された被写体の画像データが記録されることとなる。  なお、本実施の形態においては、スルー画像をＥＶ値表グラフ２０１上に表示し、同一画面上にスルー画像とＥＶ値表グラフ２０１とを重ねて表示するようにしたが、ＴＦＴ液晶モニター２０を等分な二画面、あるいは親画面と子画面とに分割し、一方の画面にスルー画像を表示し、他方の画面にＥＶ値表グラフ２０１を表示させるようにしてもよい。また、本実施の形態においては、カーソル２０２は、ＥＶ値表グラフ２０１の調整可能範囲２０５内においては任意の位置に移動可能であるものとしたが、シャッター速度、絞り値及びＥＶ値の交点のみに移動可能としてもよい。これにより、ＥＶ値表グラフ２０１上におけるシャッター速度、絞り値のマニュアル設定操作を一層容易にすることができる。
また、本実施の形態においては、カーソル２０２や前記両値２０３あるいはＥＶ値の色を変化させるようにしが、これに限らず点滅表示させたり、文字に関しては書体を変更する等、どのような表示変化形態であってもよい。また、本実施の形態においては、グラフ表示されたＥＶ値表において、カーソル２０２と該カーソルの位置に対応するＥＶ値とを同一色で表示するようにしたが、異なる色で強調表示するようにしてもよい。
【図面の簡単な説明】
【００５２】
【図１】本発明の一実施の形態に係るデジタルカメラの回路構成を示すブロック図である。
【図２】同実施の形態における処理手順を示すフローチャートである。
【図３】図２のステップＳ１２に続くフローチャートである。
【図４】同実施の形態における基本的な表示遷移図である。
【図５】同実施の形態における適正露出との位置関係に基づく表示遷移図である。
【図６】同実施の形態における「ＨＥＬＰ」キー操作時の表示遷移図である。
【符号の説明】
【００５３】
１    デジタルカメラ
３    ＣＣＤ
４    ＭＰＵ
５    フォーカスレンズ
７    駆動機構
８    ズームドライバー
９    駆動機構
１０    ＡＦドライバー
１１    駆動部
１２    ＴＧ
１３    Ｖドライバー
１４    ユニット回路
１５    ＤＲＡＭ
１６    フラッシュメモリ
１７    ＭＲＯＭ
１９    操作キー部
２０    ＴＦＴ液晶モニター
２０１    ＥＶ値表グラフ
２０２    カーソル
２０４    適正露出帯
２０５    調整可能範囲
２０６    ブリンク表示
２０７    移動軌跡
【図１】
2006178015.tif 000003
【図２】
2006178015.tif 000004
【図３】
2006178015.tif 000005
【図４】
2006178015.tif 000006
【図５】
2006178015.tif 000007
【図６】
2006178015.tif 000008